(57)【要約】      （修正有）【課題】一定の幅できれいに且つまた充分な水量で水のラインを引くと共に、水の補給を要することなく所定のラインの全てを一気に引き切ることができる水ライン引き器具を提供する。【解決手段】後部にハンドル３を有する車体４の左右両側に前輪５，５と後輪６，６を軸装した台車２上に所定容量の水タンク７を設置する。水タンク７内の水を導水管１１をもって台車２の後部から視認し得る位置に導き、放水ノズル１２から所定幅に所定量の放水を行うようにする。放水機構部８により、放水ノズル１２からの放水の開始と停止を導水管１１に設けた弁体の操作によって行うようになすと共に、弁体に接続した弁操作杆の摘子部１５の上げ下げによる弁体の操作を台車２の後部側において行うようにする。【選択図】図２
0003160388.tif 000002
【実用新案登録請求の範囲】
【請求項１】
後部にハンドルを有する車体の左右両側に車輪を軸装した台車と、前記台車上に設置した所定容量の水タンクと、前記水タンク内の水を導水管をもって前記台車の後部から視認し得る位置に導き、放水ノズルから所定幅に所定量の放水を行うようになし、更に前記放水ノズルからの放水の開始と停止を前記導水管に設けた弁体の操作によって行うようになすと共に、弁体の操作を前記台車の後部側において行うようになした放水機構部とからなることを特徴とする水ライン引き器具。
【請求項２】
前記車体の左右両側に軸装する車輪を、前輪と後輪の四輪とし、後輪を前輪よりも大径とすると共に前輪をキャスターとしてなる請求項１記載の水ライン引き器具。
【請求項３】
前記車体の左右両側に軸装する車輪を、二輪として、夫々を車体の前後方向の中央部からやや後部寄りの位置となすと共に、車体の前部にスタンドを備えてなる請求項１記載の水ライン引き器具。
【請求項４】
前記水タンクを、透明又は半透明の水タンクとしてなる請求項１、２又は３記載の水ライン引き器具。
【請求項５】
前記水タンクにホース接続具を取着してなる請求項１、２、３又は４記載の水ライン引き器具。
【請求項６】
前記放水機構部が、前記水タンクの後部中央を縦貫し、下端近傍部に通水口を穿設すると共に該通水口より下部位置に弁座を備えた導水管と、Ｔ字状をなし、垂直部分を前記導水管の下端部に接続すると共に先端の水平部分を前記台車の進行行方向と直交するようになし、更に該水平部分の両端部を閉塞すると共に下面に、軸方向に沿って、所定の間隔で所定の長さに亙って所定径の放水口を複数穿設した放水ノズルと、前記導水管内に上下方向移動可能に配置した弁体と、下端部を前記弁体に接続すると共に前記導水管及び水タンクから突出する上端部に摘子部を設け、更に位置保持部材をもって上下方向の所定の位置に保持されるようになした弁操作杆とをもって構成されてなる放水機構部である請求項１、２、３、４又は５記載の水ライン引き器具。
【請求項７】
前記複数の放水口を千鳥足状に配してなる請求項６記載の水ライン引き器具。
【考案の詳細な説明】
【技術分野】
【０００１】  本考案は水ライン引き器具に関し、更に詳細には一定の幅できれいに且つまた充分な水量で水のラインを引くことができると共に、水の補給を要することなく所定のラインの全てを一気に引き切ることができるようになした水ライン引き器具に係わる。
【背景技術】
【０００２】  例えば、学校や幼稚園等において日常の授業や活動を行うために地面にラインを引く場合、従来は石灰を用いて行うことが多かった。【０００３】  しかし、石灰は人体にとって有害なばかりでなく、高価である。そしてこの価格の点は、毎日、毎時間ラインを引く学校や幼稚園等において圧縮された体育関連の経費の中でかなりな負担となっている。【０００４】  また、小学校の体育のようにクラスや学年が替わるたびにラインを引き換えるとき、石灰を使用した場合には、一旦引いたラインを消してから次のラインを引きなおすが、石灰は容易には消すことができず、手間と時間がかかる。【０００５】  このようなことから、従来の石灰に代えて水を使用してラインを引くことも行われている。そしてこれには如雨露が用いられている。【０００６】  しかし、斯かる如雨露の使用による場合には、次の如きいくつかの問題点がある。先ず第１の問題点は、如雨露を手で提げながら放水してラインを引くが、このとき身体や腕の揺れによって水が左右に振れたり、或いは放水する水の回転による飛散によってきれいなラインを引くことができないという点である。また、屈んだ状態で重い如雨露を提げなければならず、肉体的な疲労も大きい。また、水を満タン状態にしても所定のラインの全てを引き切ることができず、途中で何度も水の補給を行わなければならない。したがって、このための無駄な労力と時間を要するという点である。また、充分な水量を放出しなければ乾いてラインが見えなくなってしまうが、如雨露による場合には１単位時間の授業時間に耐えることができるだけの水量を放出することができないという点である。
【考案の概要】
【考案が解決しようとする課題】
【０００７】  本考案は上記の点に鑑みなされたものであって、一定の幅できれいに且つまた充分な水量で水のラインを引くことができると共に、水の補給を要することなく所定のラインの全てを一気に引き切ることができるようになし、加えて放出する水の飛散による足下の汚れを防止することができるようになした水ライン引き器具を提供しようとするものである。
【課題を解決するための手段】
【０００８】  而して、本考案の要旨とするところは、後部にハンドルを有する車体の左右両側に車輪を軸装した台車と、前記台車上に設置した所定容量の水タンクと、前記水タンク内の水を導水管をもって前記台車の後部から視認し得る位置に導き、放水ノズルから所定幅に所定量の放水を行うようになし、更に前記放水ノズルからの放水の開始と停止を前記導水管に設けた弁体の操作によって行うようになすと共に、弁体の操作を前記台車の後部側において行うようになした放水機構部とからなることを特徴とする水ライン引き器具にある。【０００９】  また、上記構成において、車体の左右両側に軸装する車輪を、前輪と後輪の四輪とし、後輪を前輪よりも大径とすると共に前輪をキャスターとしてもよい。また、斯かる構成に替えて、車体の左右両側に軸装する車輪を、二輪とし、夫々を車体の前後方向の中央部からやや後部寄りの位置となすと共に、車体の前部にスタンドを備えるようになしてもよい。【００１０】  また、上記構成において、水タンクを、透明又は半透明の水タンクとしてもよい。【００１１】  また、上記構成において、水タンクにホース接続具を取着するようにしてもよい。【００１２】  また、上記構成において、放水機構部を、前記水タンクの後部中央を縦貫し、下端近傍部に通水口を穿設すると共に該通水口より下部位置に弁座を備えた導水管と、Ｔ字状をなし、垂直部分を前記導水管の下端部に接続すると共に先端の水平部分を前記台車の進行行方向と直交するようになし、更に該水平部分の両端部を閉塞すると共に下面に、軸方向に沿って、所定の間隔で所定の長さに亙って所定径の放水口を複数穿設した放水ノズルと、前記導水管内に上下方向移動可能に配置した弁体と、下端部を前記弁体に接続すると共に前記導水管及び水タンクから突出する上端部に摘子部を設け、更に位置保持部材をもって上下方向の所定の位置に保持されるようになした弁操作杆とをもって構成されてなる放水機構部としてもよい。【００１３】  また、上記放水機構部において、複数の放水口を千鳥足状に配するようにしてもよい。
【考案の効果】
【００１４】  本考案は上記の如き構成であるから、一定の幅できれいに且つまた充分な水量で水のラインを引くことができると共に、水の補給を要することなく所定のラインの全てを一気に引き切ることができるものである。加えて放出する水の飛散による足下の汚れを防止することができるものである。【００１５】  また、車体の左右両側に軸装する車輪を、前輪と後輪の四輪とし、後輪を前輪よりも大径とすると共に前輪をキャスターとした場合には、四輪で安定性が良好であり、満タンにした水タンクも楽に保持して安定走行させることができると共に、左右にぶれないきれいなラインを引くことができる。且つまた後輪が大きいことから小さな力でも動かしやすく、更に前輪がキャスターであることから、鋭角に曲げることもできるものである。【００１６】  また、水タンクを、透明又は半透明の水タンクとした場合には、水量を容易に外部から確認することができるものである。【００１７】  また、水タンクにホース接続具を取着するようにした場合には、水道管が離れていてもホース接続具を介してホースを接続しておけば安心して給水を行うことができる。【００１８】  また、放水機構部を、前記水タンクの後部中央を縦貫し、下端近傍部に通水口を穿設すると共に該通水口より下部位置に弁座を備えた導水管と、Ｔ字状をなし、垂直部分を前記導水管の下端部に接続すると共に先端の水平部分を前記台車の進行行方向と直交するようになし、更に該水平部分の両端部を閉塞すると共に下面に、軸方向に沿って、所定の間隔で所定の長さに亙って所定径の放水口を複数穿設した放水ノズルと、前記導水管内に上下方向移動可能に配置した弁体と、下端部を前記弁体に接続すると共に前記導水管及び水タンクから突出する上端部に摘子部を設け、更に位置保持部材をもって上下方向の所定の位置に保持されるようになした弁操作杆とをもって構成されてなる放水機構部とした場合には、放水ノズルからの放水の開始と停止を行う弁体の操作を、ラインを引く者の手元に近いところで行うことができる。したがって、姿勢を大きく変えることなく、操作を素早く行うことができる。【００１９】  また、放水機構部において、複数の放水口を千鳥足状に配するようにした場合には、一定の幅にきれいに、且つ充分な量の水を放出することができる。
【図面の簡単な説明】
【００２０】
【図１】本考案の第１実施形態に係る水ライン引き器具の前方側から看た斜視図である。
【図２】同後方側から看た斜視図である。
【図３】水タンクの部分拡大断面図である。
【図４】放水ノズルの下面図である。
【図５】放水ノズルの他の例の側面図である。
【図６】同正面図である。
【図７】本考案の第２実施形態に係る水ライン引き器具の前方側から看た斜視図である。
【図８】同後方側から看た斜視図である。
【考案を実施するための形態】
【００２１】    以下、本考案を実施するための形態について、図面を参照して説明する。
【００２２】  図中、１は水ライン引き器具である。また、該水ライン引き器具１は、後記台車と、水タンクと、放水機構部とからなるものである。
【００２３】  ２は台車である。また、該台車２は、後部にハンドル３を有する車体４の左右両側に前輪５，５と後輪６，６との四個の車輪を軸装してなるものである。
【００２４】  また、前記後輪６，６は前輪５，５よりも大径とし、更に前輪５，５はキャスターとしている。
【００２５】  ７は前記台車２上に設置した所定容量の水タンクである。尚、水の容量については、水の補給を要することなく所定のラインの全てを引き切ることができるだけの量であり、また少なくとも１単位時間の授業時間に耐えることができるだけの水量を放出することができる量である。また、水タンク７は透明又は半透明であり、樹脂からなるものである。
【００２６】  ８は放水機構部である。また、該放水機構部８は、前記水タンク７内の水を後記導水管をもって前記台車２の後部から視認し得る位置に導き、後記放水ノズルから所定幅に所定量の放水を行うようになし、更に放水ノズルからの放水の開始と停止を導水管に設けた弁体の操作によって行うようになすと共に、弁体の操作を前記台車２の後部側において行うようになしたものである。
【００２７】  また、該放水機構部８は、具体的には、前記水タンク７の後部中央を縦貫し、下端近傍部に通水口９を穿設すると共に該通水口９より下部位置に弁座１０を備えた導水管１１と、Ｔ字状をなし、垂直部分１２ａを前記導水管１１の下端部に接続すると共に先端の水平部分１２ｂを前記台車２の進行行方向と直交するようになし、更に該水平部分１２ｂの両端部を閉塞すると共に下面に、軸方向に沿って、所定の間隔で所定の長さに亙って所定径の放水口１３，１３，１３・・・を複数穿設した放水ノズル１２と、前記導水管１１内に上下方向移動可能に配置した弁体１４と、下端部を前記弁体１４に接続すると共に前記導水管１１及び水タンク７から突出する上端部に摘子部１５を設け、更に位置保持部材１６をもって上下方向の所定の位置に保持されるようになした弁操作杆１７とをもって構成されている。
【００２８】  また、前記複数の放水口１３，１３，１３・・・は、本実施形態においては図４に示す如く千鳥足状に配している。また、前記位置保持部材１６は、本実施形態ではゴム板を用い、これの滑り抵抗を利用するようになしている。
【００２９】  また、放水ノズルについては、前記の形態の放水ノズル１２に代えて図５及び図６に示した放水ノズル１２Ａを用いるようにしてもよい。該放水ノズル１２Ａは、下端側を台車２の進行方向前方側に曲げ、放水口１２Ａ´を扁平にしたものである。これにより水は前方に放出されて足下に飛び散ることがなく、また放水口１２Ａ´が扁平であることから、放出される水の回転を抑えることができ、もって水の回転による飛散の少ない、きれいなラインを引くことができるものである。
【００３０】  １８は前記水タンク７に取着したホース接続具であり、水道管の蛇口に接続したホース（図示せず。）の端部を外嵌して接続するものである。
【００３１】  次に、上記実施形態の作用について説明する。
水のラインを引くときには、ハンドル３を握って台車２を押し、ラインを引く位置において放水機構部８における摘子部１５を引き上げるものである。これにより水タンク７内の水（図示せず。）の放水ノズル１２からの放水が開始される。そして台車２を押し進めれば水のラインが引かれ、台車２の進行方向を変えるときには前輪５，５がキャスターであることから自由に角度を変えることができるものである。そして、最後まで水のラインを引き終わったら、摘子部１５を押し下げ、放水ノズル１２からの放水を停止するものである。
【００３２】  次に、図７及び図８に示す本考案の第２実施形態に係る水ライン引き器具について説明する。
【００３３】  本実施形態と前記第１実施形態との相違点は、本実施形態において、車体４の左右両側に軸装する車輪を、二輪６´，６´とし、夫々を車体４の前後方向の中央部からやや後部寄りの位置となすと共に、車体４の前部にスタンド４Ａ，４Ａを備えてなる点にある。また、該スタンド４Ａは、車体４の前部中央の一箇所のみに備えるようになしてもよい。また、該車輪６´，６´は前記第１実施形態における後輪６，６と同じ大きさのものが望ましい。尚、その他の構成並びに作用は前記第１実施形態と同様であるから、同一の部材には同一の符号を付して詳細な説明は省略する。而して、本実施形態は、前記第１実施形態における水タンクよりも容量の少ないものを用いる場合に好適である。
【符号の説明】
【００３４】１  水ライン引き器具
２  台車
３  ハンドル
４  車体
４Ａ，４Ａ  スタンド
５，５  前輪
６，６  後輪
７  水タンク
８  放水機構部
９  通水口
１０  弁座
１１  導水管
１２  放水ノズル
１３，１３，１３  放水口
１４  弁体
１５  摘子部
１６  位置保持部材
１７  弁操作杆
１８  ホース接続具
【図１】
0003160388.tif 000003
【図２】
0003160388.tif 000004
【図３】
0003160388.tif 000005
【図４】
0003160388.tif 000006
【図５】
0003160388.tif 000007
【図６】
0003160388.tif 000008
【図７】
0003160388.tif 000009
【図８】
0003160388.tif 000010